(57)【要約】【課題】現在の運転状況の地球環境への負荷を瞬時に判断することができるエコドライブ表示計を実現すること。【解決手段】エコドライブ表示計は、円を発光表示するＬＥＤ表示装置１と、制御信号に基づきＬＥＤ表示装置１を駆動する駆動部２と、駆動部２に制御信号を送る制御部３からなる。制御部３は、センサー群４からの車両の運転状況に関する情報をもとに、エコドライブ評価を算出してランク付けし、そのランクに基づく制御信号を駆動部２に出力する。駆動部２は、制御信号に基づいてＬＥＤ表示装置１を駆動し、ＬＥＤ表示装置１は、エコドライブ評価のランクに応じて異なる表示色で円を表示する。運転者は表示色の違いにより瞬時にエコドライブ評価を判断することができる。【選択図】図１
2009120092.tif 000002
【特許請求の範囲】
【請求項１】
運転状況について地球環境への負荷の視点から評価し、その評価を表示するエコドライブ表示計において、
発光色の異なる複数のＬＥＤを備え、単純な平面図形を表示するＬＥＤ表示装置と、
運転状況に関する情報を計測するセンサー群と接続し、前記センサー群からの情報を処理して運転状況についての地球環境への負荷に関する評価を算出し、その評価に基づく制御信号を生成する制御部と、
前記制御部および前記ＬＥＤ表示装置に接続し、前記制御信号に基づいて前記ＬＥＤ表示装置を駆動する駆動部と、
を有し、
運転状況についての地球環境への負荷に関する前記評価に応じて、前記ＬＥＤ表示装置の表示色を変化させることを特徴とするエコドライブ表示計。
【請求項２】
前記平面図形は、円であることを特徴とする請求項１に記載のエコドライブ表示計。
【発明の詳細な説明】
【技術分野】
【０００１】
本発明は、車両の運転状況について地球環境への負荷の視点から評価し、その評価を表示するエコドライブ表示計に関する。
【背景技術】
【０００２】
車両の運転者に対して地球環境にやさしい運転（エコドライブ）を促すために、車両にエコドライブ表示計を設けたものが知られている。このエコドライブ表示計は、運転状況から燃費効率等を算出して評価し、その評価をＬＥＤ等の点灯により表示するものである。
【０００３】
たとえば特許文献１には、円周状の帯グラフを表示するエコドライブ表示計をタコメータと並べて配置し、エンジン回転数と経済的運転の評価とを関連づけて表示させる表示装置が示されている。このエコドライブ表示計は、経済的な運転であれば緑色、そうでなければ赤色を表示するものである。
【０００４】
また、特許文献２には、地球環境に対するやさしさの程度をアイドリング状態、通常走行状態などの走行状態で評価し、その評価を帯グラフと色によって表示するエコドライブシステムが示されている。
【特許文献１】特開２０００−２６４０９３
【特許文献２】特開２００７−１１８９２６
【発明の開示】
【発明が解決しようとする課題】
【０００５】
しかし、上記特許文献１〜３における表示は、帯グラフなどの形状と色を組み合わせたものであり、現在の運転状況が地球環境にやさしいものであるのか否かを瞬時に判断することが難しかった。
【０００６】
そこで本発明の目的は、現在の運転状況の地球環境への負荷を瞬時に判断することができるエコドライブ表示計を実現することである。
【課題を解決するための手段】
【０００７】
第１の発明は、運転状況について地球環境への負荷の視点から評価し、その評価を表示するエコドライブ表示計において、発光色の異なる複数のＬＥＤを備え、単純な平面図形を表示するＬＥＤ表示装置と、運転状況に関する情報を計測するセンサー群と接続し、センサー群からの情報を処理して運転状況についての地球環境への負荷に関する評価を算出し、その評価に基づく制御信号を生成する制御部と、制御部およびＬＥＤ表示装置に接続し、制御信号に基づいてＬＥＤ表示装置を駆動する駆動部とを有し、運転状況についての地球環境への負荷に関する評価に応じてＬＥＤ表示装置の表示色を変化させることを特徴とするエコドライブ表示計である。
【０００８】
この第１の発明では、ＬＥＤ表示装置によって表示される表示色が地球環境への負荷に関する評価と対応するものであり、表示される平面図形の形状はこの評価に関係がない。そのため、表示色の判断に影響がないように円、正方形、長方形、正三角形などの単純な平面図形を表示する。また、ＬＥＤ表示装置の構造は、複数のＬＥＤを備え、単純な平面図形を表示し、その表示色を変化させることができるものであれば、どのような構造でもよい。
【０００９】
運転状況に関する情報を測定するセンサー群は、たとえば、速度、加速度、アクセル踏み込み量、エンジン回転数、タイヤの空気圧などのセンサ−である。運転状況についての地球環境への負荷に関する評価は、これらのセンサーからの情報に基づいて評価されるものであり、たとえば、燃費効率などによって評価する。
【００１０】
第２の発明は、第１の発明において、平面図形は円であることを特徴とするエコドライブ表示計である。
【発明の効果】
【００１１】
第１の発明では、ＬＥＤ表示装置によって表示される表示色のみによって運転状況についての地球環境への負荷に関する評価を示していて、表示される形状には意味を持たせていない。通常、色の違いは形状の違いよりも早く判断することができる。したがって、本発明によると、運転状況についての地球環境への負荷に関する評価を瞬時に判断することができる。
【００１２】
また第２の発明のように、表示される平面図形として円を用いることができる。
【発明を実施するための最良の形態】
【００１３】
以下、本発明の具体的な実施例について図を参照しながら説明するが、本発明は実施例に限定されるものではない。
【実施例１】
【００１４】
図１は、実施例１のエコドライブ表示計の構成を示すブロック図である。エコドライブ表示計は、ＬＥＤ表示装置１と、ＬＥＤ表示装置１に接続する駆動部２と、駆動部２に接続する制御部３とからなる。
【００１５】
図２（ａ）は、ＬＥＤ表示装置１の構造を示す断面図、図２（ｂ）は、ＬＥＤ表示装置１の正面図である。ＬＥＤ表示装置１は、配線（図示しない）が表面に形成された配線基板１０と、配線基板１０上に実装された赤色ＬＥＤ１１、緑色ＬＥＤ１２、青色ＬＥＤ１３と、これら３つのＬＥＤを囲むようにして配線基板１０上に形成された枠体１４と、枠体１４内の領域を満たし、３つのＬＥＤを封止する封止樹脂１５と、筐体１６と、筐体１６の上部に設けられた意匠板１７と、により構成されている。
【００１６】
枠体１４は、アルミニウム粒子を混合した樹脂からなり、枠体１４によって赤色ＬＥＤ１１、緑色ＬＥＤ１２、青色ＬＥＤ１３からの光を反射させて混色性を高めている。また、封止樹脂１５には拡散材が混入されている。筐体１６は、上面に向かうにつれて断面積が大きくなる円錐台状の空間１８を有しており、枠体１４はこの空間１８内にある。この筐体１６によって、赤色ＬＥＤ１１、緑色ＬＥＤ１２、青色ＬＥＤ１３からの光を拡散させるための領域が確保される。意匠板１７は、円形の透過部１９を有している。したがって、赤色ＬＥＤ１１、緑色ＬＥＤ１２、青色ＬＥＤ１３からの光は透過部１９を透過して円を表示させる。また、円錐台状の空間１８の側面には、ステンレス板２０が設置されていて、混色性、均一性を高めている。なお、ステンレス板２０に替えて、円錐台状の空間１８の側面にメッキによって金属膜を形成してもよい。
【００１７】
制御部３は、車両に設けられたセンサー群４と接続している。このセンサー群４は、車両の運転状況に関する情報を測定する各種センサーであり、たとえば、速度、加速度、アクセル踏み込み量、エンジン回転数、タイヤの空気圧などのセンサ−である。制御部３は、センサー群４によって測定された車両の運転状況に関する情報から、運転状況についての地球環境への負荷に関する評価（以下、エコドライブ評価と呼ぶ）を算出し、地球環境への負荷の大きさに応じてランク付けし、そのランクに基づく制御信号を駆動部２に出力する。この制御信号は、赤色ＬＥＤ１１、緑色ＬＥＤ１２、青色ＬＥＤ１３のオンオフ、および発光強度を制御して、エコドライブ評価のランクに応じてＬＥＤ表示装置１が異なる表示色を示すように、駆動部２を駆動させるものである。
【００１８】
エコドライブ評価は、たとえば燃費効率などによって評価される。その評価方法についてはさまざまな方法が従来より知られており、それらの評価方法を単独で、もしくは組み合わせて用いる。たとえば前述の特許文献１、２にも、エコドライブ評価の方法が記載されている。
【００１９】
駆動部２は、ＬＥＤ表示装置１の赤色ＬＥＤ１１、緑色ＬＥＤ１２、青色ＬＥＤ１３のオンオフ、および発光強度を、制御信号に基づいて制御する。たとえば、エコドライブ評価が５段階のランク付けであれば、地球環境への負荷が小さい順に、緑色、青色、黄色、アンバー色、赤色の点滅、を表示するように、赤色ＬＥＤ１１、緑色ＬＥＤ１２、青色ＬＥＤ１３を制御する。
【００２０】
このようにして、実施例１のエコドライブ表示計は、エコドライブ評価に応じて異なる色の円を表示する。色の違いは、形状の違いよりも早く判断することができるので、車両の運転者は、実施例１のエコドライブ表示計の表示色の違いにより瞬時にエコドライブ評価を判断することができる。
【００２１】
なお、実施例ではＬＥＤ表示装置として円を表示するものを用いているが、表示色の判断を妨げない、単純な平面図形を表示するものであればよい。たとえば、正方形、長方形、正三角形などである。
【００２２】
また、実施例のＬＥＤ表示装置は、赤色ＬＥＤ、緑色ＬＥＤ、青色ＬＥＤを備え、フルカラー表示を可能とするものであるが、エコドライブ評価のランクに応じて異なる表示色を示すことができるＬＥＤ表示装置であれば十分である。たとえば、エコドライブ評価を４段階のランク付けとし、緑色、黄色、アンバー色、アンバー色の点滅、をランクに応じて表示するＬＥＤ表示装置として、赤色ＬＥＤと緑色ＬＥＤの２つのＬＥＤを備えたＬＥＤ表示装置を用いることが可能である。
【００２３】
また、実施例のＬＥＤ表示装置では意匠板を設けて図形を表示しているが、意匠板を設けずにＬＥＤからの発光色のみによって運転者にエコドライブ評価を判断させるようにしてもよい。この場合、意匠板に替えて凸レンズを設け、集光による視認性の向上を図ることが望ましい。
【００２４】
また、エコドライブ評価のランクを何段階にするか、つまり表示色を何種類とするかは、任意であり、ランク付けせずに表示色を連続的に変化させるようにしてもよい。
【００２５】
また、ＬＥＤ表示装置の構造は、実施例で説明したものに限るものではない。たとえば、導光板の側面に、側面発光型のＬＥＤランプを配置し、導光板の側面から入射した光を導光板の表面から出射させるＬＥＤバックライト方式のＬＥＤ表示装置などを用いることができる。
【産業上の利用可能性】
【００２６】
本発明のエコドライブ表示計は、運転者に地球環境にやさしい運転を促す表示として用いることができる。
【図面の簡単な説明】
【００２７】
【図１】実施例１のエコドライブ表示計の構成を示すブロック図。
【図２】ＬＥＤ表示装置の構造を示す図。
【符号の説明】
【００２８】
１：ＬＥＤ表示装置
２：駆動部
３：制御部
４：センサー群
１０：配線基板
１１：赤色ＬＥＤ
１２：緑色ＬＥＤ
１３：青色ＬＥＤ
１４：枠体
１５：封止樹脂
１６：筐体
１７：意匠板
２０：ステンレス板
【図１】
2009120092.tif 000003
【図２】
2009120092.tif 000004